(57)【特許請求の範囲】
【請求項１】
一定間隔を保持して形成される複数の信号ラインと、
前記信号ラインに直交する方向に配置される共通電極と、
隣接した二つの第１、第２信号ラインを一対にして各対の第１、第２信号ラインの間の前記共通電極の一方の側に各対の第１信号ラインと、前記共通電極に連結されるように配置される複数の第１静電気防止回路と、
前記共通電極の他方の側に前記各対の第２信号ラインと前記共通電極に連結されるように配置される複数の第２静電気防止回路を備えることを特徴とする液晶表示装置。
【請求項２】
前記共通電極を二つの第１、第２ラインによって構成し、第１ラインは第１静電気防止回路に連結され、第２ラインは各第２静電気防止回路に連結されることを特徴とする請求項１に記載の液晶表示装置。
【請求項３】
前記二つの共通電極を中心に両側に前記第１、第２静電気防止回路が配置されることを特徴とする請求項２に記載の液晶表示装置。
【請求項４】
一定間隔を保持して形成される複数の信号ラインと、
前記信号ラインに直交する方向に配置される共通電極と、
前記共通電極の一方の側で奇数番目の信号ラインと前記共通電極に連結される複数の第１静電気防止回路と、
前記共通電極の他方の側で偶数番目の信号ラインと前記共通電極に連結される複数の第２静電気防止回路を備え、前記第１、第２静電気防止回路に隣接した各信号ラインが曲線状であることを特徴とする液晶表示装置。
【請求項５】
前記奇数番目の信号ラインと偶数番目の信号ラインとは互いに食い違う部分で曲線状であることを特徴とする請求項４に記載の液晶表示装置。
【請求項６】
一定間隔を保持して形成される複数の信号ラインと、
前記信号ラインに直交する方向に一定間隔を保持して配置される第１、第２共通電極と、
隣接した二つの第１、第２信号ラインを一対にして奇数番目対の第１、第２信号ライン間の前記第１共通電極の両側で第１信号ラインと第１共通電極及び第２信号ラインと第１共通電極に連結されるように配置される複数の第１、第２静電気防止回路と、
偶数番目の第１、第２信号ラインと前記第２共通電極の両側に各対の第１信号ラインと第２共通電極及び第２信号ラインと第２共通電極に連結されるように配置される複数の第３、第４静電気防止回路を含むことを特徴とする液晶表示装置。
【請求項７】
前記複数の第１、第２静電気防止回路と前記複数の第３、第４静電気防止回路は互いに食い違うように配置されることを特徴とする請求項６に記載の液晶表示装置。
【請求項８】
前記複数の第１、第２静電気防止回路と前記複数の第３、第４静電気防止回路が設けられた部分で前記各信号ラインは曲線状であることを特徴とする請求項６に記載の液晶表示装置。
【請求項９】
前記第１共通電極を二つの第１、第２ラインによって構成し、第１ラインは各第１静電気防止回路に連結され、第２ラインは各第２静電気防止回路に連結されることを特徴とする請求項６に記載の液晶表示装置。
【請求項１０】
前記第２共通電極を二つの第１、第２ラインによって構成し、第１ラインは各第３静電気回路に連結され、第２ラインは各第４静電気防止回路に連結されることを特徴とする請求項６に記載の液晶表示装置。
【発明の詳細な説明】
【０００１】
【発明の属する技術分野】
本発明は、液晶表示装置に関し、特に、狭い信号ライン間隔を効率的に用いて静電気防止回路を配置する液晶表示装置に関する。
【０００２】
【従来の技術】
一般に、液晶表示装置は大きく液晶パネルと光源また駆動回路部からなる。
【０００３】
また、前記液晶パネルは大きく上下透明基板と上下透明基板間に注がれる液晶層から構成される。
前記上側透明基板には共通電極、ブラックマトリックス及びカラーフィルター層が形成される。
前記下側透明基板には一定間隔を有して一方向に複数のゲートラインが配列され、一定な間隔を有し前記各ゲートラインと直交する方向に複数のデータラインが配列されて互いに交差する部分にＬＣＤアレイを構成する。
このようなＬＣＤアレイ領域では前記各ゲートラインとデータライン間の空間領域が画素領域となり、各画素領域には画素電極と薄膜トランジスタが配列される。即ち、前記薄膜トランジスタは前記ゲートラインにゲート電極が連結され、前記データラインにソース電極が連結されドレイン電極に画素電極が連結されて前記ゲートラインに与えられる信号によって選択的にオンにされてデータラインのデータ信号を画素電極に与えられる。また、各ゲートライン又はデータラインは駆動回路部に電気的に連結される。
このような液晶表示装置で、工程又はテスト中に静電気が発生して前記ゲートライン又はデータラインに静電気が与えられると、ＬＣＤアレイの素子が破壊されるか損傷を来たして不良が発生することがある。
【０００４】
このような静電気からＬＣＤアレイを保護するために、前記駆動回路部と前記ＬＣＤアレイと間に前記ゲートラインとデータラインに直交するように共通電極が形成され、データラインと共通電極が交差する部分又はゲートラインと共通電極が交差する部分に静電気防止回路が設置される。
【０００５】
従って、前記のように静電気防止回路を設置するとゲートライン又はデータラインに静電気が与えられても前記静電気防止回路によって共通電極と等電位が形成されるので静電気がＬＣＤアレイの素子に被害を与えることがない。
【０００６】
このような従来の静電気防止回路が配置された液晶表示装置を添付された図面を参照して説明する。
図１は従来の静電気防止回路を示す液晶表示装置の構成図である。
従来にはピクセルサイズが静電気防止回路より大きいので静電気防止回路を平行に配置した。
図１に示すように、駆動回路部１とＬＣＤアレイ２の間にデータライン３またはゲートラインと直交する方向に共通電極４が配置された状態で、前記共通電極４とデータライン３が交差する部分で各データライン３の間に一対一対応されるように静電気防止回路５が一方向に配置される。
ここで、前記各データライン３又はゲートラインは前記駆動回路部１とＬＣＤアレイ２との間に直線模様に形成されている。
【０００７】
しかしながら、前記のような従来の静電気防止回路が設けられた液晶表示装置にあっては次のような問題があった。
データラインと共通電極が交差する部分で各データラインの間に静電気防止回路が配列されるので、ピクセルサイズが静電気防止回路より小さい場合には静電気防止回路を配置することができない。
言い換えれば、高解像度の液晶表示装置ではデータライン間の空間が狭くなるので静電気防止回路を配置することができず、静電気防止回路のため高解像度の液晶表示装置が得られない。
【０００８】
【発明が解決しようとする課題】
本発明は、上記従来技術の問題点を解決するためのもので、高解像度の液晶表示装置にも使用することができる静電気防止回路および信号ライン構造（データライン又はゲートライン）を提供することを目的とする。
【０００９】
【課題を解決するための手段】
上記目的を達成するための本発明による液晶表示装置は、一定間隔を保持して形成される複数の信号ラインと、前記信号ラインに直交する方向に配置される共通電極と、隣接した二つの第１、第２信号ラインを一対にして各対の第１、第２信号ラインの間の前記共通電極の一方の側に各対の第１信号ラインと、前記共通電極に連結されるように配置される複数の第１静電気防止回路と、前記共通電極の他方の側に前記各対の第２信号ラインと前記共通電極に連結されるように配置される複数の第２静電気防止回路を備えることを特徴とする。
【００１０】
本発明の他の一実施形態によると、一定間隔を保持して形成される複数の信号ラインと、前記信号ラインに直交する方向に一定間隔を保持して配置される第１、第２共通電極と、隣接した二つの第１、第２信号ラインを一対にして奇数番目対の第１、第２信号ライン間の前記第１共通電極の両側で各対の第１信号ラインと第１共通電極及び第２信号ラインと第１共通電極に連結されるように配置される複数の第１、第２静電気防止回路と、偶数番目の第１、第２信号ライン間の前記第２共通電極の両側に各対の第１信号ラインと第２共通電極及び第２信号ラインと第２共通電極に連結されるように配置される複数の第３、第４静電気防止回路を含むことを特徴とする。
【００１１】
本発明のさらに他の実施形態によると、一定間隔を保持して形成される複数の信号ラインと、前記信号ラインに直交する方向に配置される共通電極と、前記共通電極の一方の側で奇数番目の信号ラインと前記共通電極に連結される複数の第１静電気防止回路と、前記共通電極の他方の側で偶数番目の信号ラインと前記共通電極に連結される複数の第２静電気防止回路を備え、前記第１、第２静電気防止回路に隣接した各信号ラインが曲線状であることを特徴とする。
【００１２】
【発明の実施の形態】
以下、添付の図面を参照して本発明を更に詳細に説明する。
図２は、本発明の第１実施形態の静電気防止回路を示す液晶表示装置の構成図である。
本発明の第１実施形態の液晶表示装置は、駆動回路部１とＬＣＤアレイ２の間に各信号ライン（データライン又はゲートライン）３ａ、３ｂに直交する方向に共通電極４が形成された状態で隣接した二つの信号ライン３ａ、３ｂを一対にして前記各対の信号ライン３ａ、３ｂ間の共通電極４の両側に静電気防止回路５ａ、５ｂを配置する。また、前記各対の第１信号ライン３ａと前記共通電極４に第１静電気防止回路５ａが連結され、各対の第２信号ライン３ｂと共通電極４には第１静電気防止回路５ｂが連結される。
この時各信号ライン３ａ、３ｂは曲線状の部分がない。
このようによって構成することで、全体的な信号ライン間の空間を減らすことができる。
【００１３】
なお、図３は本発明の第２実施形態の静電気防止回路を示す液晶表示装置の構成図である。
本発明の第２実施形態の液晶表示装置は、本発明の第１実施形態において共通電極を２つ（第１共通電極４ａと第２共通電極４ｂ）配置して奇数番目の信号ライン３ａと第１共通電極４ａ間に静電気防止回路５ａが連結され偶数番目の信号ライン３ｂと第２共通電極４ｂ間に静電気防止回路５ｂが連結されるように静電気防止回路を配置したものである。
【００１４】
この時静電気防止回路５ａ、５ｂは第１、第２共通電極４ａ、４ｂ両側に形成される。即ち、第１信号ライン３ａと第１共通電極４ａに第１静電気防止回路５ａが連結され、第２信号ライン３ｂと第２共通電極４ｂに第２静電気防止回路５ｂが前記第１共通電極４ａの反対方向から連結される。
【００１５】
また、図４は本発明の第３実施形態の静電気防止回路を示す液晶表示装置の構成図である。
本発明の第３実施形態の液晶表示装置は、駆動回路部１とＬＣＤアレイ２との間に複数の信号ライン（データライン又はゲートライン）３に直交する方向に一つの共通電極４が形成され、各信号ラインの間に一つの静電気防止回路が配置される。この時奇数番目の信号ライン３ａに連結される第１静電気防止回路５ａは前記共通電極４を中心に駆動回路部１側に配置され、偶数番目の信号ライン３ｂに連結される第２静電気防止回路５ｂは共通電極４を中心にＬＣＤアレイ２側に配置される。
また、各静電気防止回路５ａ、５ｂが配置された部分の信号ラインは一方向に曲がれて静電気防止回路が位置される空間を確保する。
言い換えれば奇数番目の信号ラインと偶数番目の信号ラインは静電気防止回路が位置される空間を確保するために互いに食い違う部分から曲線状である。
【００１６】
図５は本発明の第４実施形態の静電気防止回路を示す液層表示装置の構成図である。
本発明の第４実施形態の液晶表示装置は、駆動回路部１とアレイ２との間に複数の信号ライン３ａ、３ｂに直交する方向に一定間隔を有するように第１、第２共通電極４ａ、４ｂを配置する。また、隣接した二つの信号ライン３ａ、３ｂを一対にして奇数番目の信号ライン３ａ、３ｂ間の第１共通電極４ａ両側に静電気防止回路５を配置し、偶数番目対の信号ライン３ａ、３ｂ間の第２共通電極４ｂの両側に静電気防止回路５を配置するものの、静電気防止回路５が配置された部分に空間を確保するために静電気防止回路５を中心に曲がった形状である。
【００１７】
ここで、前記第１共通電極４ａに連結される静電気防止回路５と第２共通電極４ｂに連結された静電気防止回路５は同一線上に配置されることなく相互に食い違うように配置される。
図６は本発明の第５実施形態の静電気防止回路を示す液晶表示装置の構成図である。
本発明の第５実施形態の液晶表示装置は、駆動回路部１とＬＣＤアレイ２との間に各信号ライン（データライン又はゲートライン）３ａ、３ｂに直交する方向に第１、第２、第３、第４共通電極４ａ、４ｂ、４ｃ、４ｄを配置する。この時、第１共通電極は第２共通電極と近接して配置され、第３共通電極は第４共通電極に近接して配置され、第１、第２共通電極は第３、第４共通電極と距離を隔てて配置される。
【００１８】
また、隣接した２つの信号ライン３ａ、３ｂを一対にして奇数番目対の信号ライン３ａ、３ｂ間の第１、第２共通電極４ａ、４ｂ両側に静電気防止回路５を配置し、奇数番目対の信号ライン３ａ、３ｂ間の第３、第４共通電極４ｃ、４ｄ両側に静電気防止回路５を配置するものの、前記信号ライン３ａ、３ｂは静電気防止回路５が配置された部分に空間を確保するために屈曲している。
即ち、奇数番目の信号ラインと偶数番目の信号ラインは同一線上の曲線ではなく相互に食い違うように屈曲している。
【００１９】
【発明の効果】
前記説明の通り本発明の液晶表示装置における効果は次の通りである。
第一、共通電極ラインの両側に静電気防止回路が位置されるように配列するか静電気防止回路が位置される部分に十分な空間が確保されるように信号ラインが曲線状であるので狭い信号ライン間隔を効率的に用いることが出きる。
【００２０】
第二、このように狭い信号ラインの間に静電気防止回路を配置することができるので高解像度の液晶表示装置を提供することが出来る。
【図面の簡単な説明】
【図１】従来の静電気防止回路を示す液晶表示装置の構成図。
【図２】本発明の第１実施形態の静電気防止回路を示す液晶表示装置の構成図。
【図３】本発明の第２実施形態の静電気防止回路を示す液晶表示装置の構成図。
【図４】本発明の第３実施形態の静電気防止回路を示す液晶表示装置の構成図。
【図５】本発明の第４実施形態の静電気防止回路を示す液晶表示装置の構成図。
【図６】本発明の第５実施形態の静電気防止回路を示す液晶表示装置の構成図。
【符号の説明】
１  駆動回路部                ２  ＬＣＤアレイ
３ａ、３ｂ  信号ライン        ４、４ａ、４ｂ  共通電極
５、５ａ、５ｂ  静電気防止回路
【図１】
0003557402.tif 000002
【図２】
0003557402.tif 000003
【図３】
0003557402.tif 000004
【図４】
0003557402.tif 000005
【図５】
0003557402.tif 000006
【図６】
0003557402.tif 000007